(57)【要約】【課題】細長状の係止体と収容体とからなり、該係止体と該収容体とで被挟止物を挟止する係合留め具に関し、該係止体側の挟止面と該収容体側の挟止面との間隔を適宜調節できるとともに、該係止体と該収容体とが該被挟止物に接する範囲を減少させて該被挟止物の厚さが変更される範囲を減少できる係合留め具を提供する。【解決手段】係合留め具１は、係止体２と、収容体３とからなる。係止体２は、挟止面２ａと、間隔調整部２ｂとを有する。間隔調整部２ｂは、係止体２の上縁部の長手方向に沿って設けられており、係止体２の長手方向に沿って連続してその高さが異なる複数の段部である。収容体３は、挟止面３ａと、収容部３ｂと、収容部３ｂ方向に延設される押え片３ｃが設けられている。挟止面２ａと挟止面３ａとは、係止体２を収容体３の内部に収容した際に対向する両挟止面との間で被挟止物Ａを挟止する部位である。【選択図】      図１
2018086068.tif 000002
【特許請求の範囲】
【請求項１】
係止体と、収容体とからなり、係止体と収容体とで被挟止物を挟止する係合留め具であって、該係止体は、細長状の部材であって、挟止面と、間隔調整部とを有しており、該係止体側の挟止面と該収容体側の挟止面とは、該係止体を該収容体の内部に収容した際に対向する両挟止面との間で該被挟止物を挟止する部位であり、該間隔調整部は、該係止体を該収容体の内部に収容した際における該係止体と該収容体との間隔を調節するための部位であって、該係止体の上縁部の長手方向に沿って設けられており、該係止体の長手方向に沿って連続してその高さが異なる複数の段部であり、該収容体は、細長状の部材であって、弾力性のある部材で形成されていて、挟止面と、収容部と、押え片とが設けられており、該収容部は、該係止体を収容するための空間であって、該収容体の長手方向に沿って溝状に設けられており、該押え片は、該間隔調整部に係合して該係止体を該収容部内に押えておくための部位であって、該収容部方向に延設されていることを特徴とする係合留め具。
【請求項２】
請求項１に記載した係合留め具であって、前記係止体側の挟止面が側面視円弧状に形成されており、前記収容体側の挟止面が側面視Ｖ字状に形成されていることを特徴とする係合留め具。
【請求項３】
請求項１又は２に記載した係合留め具であって、前記係止体側の挟止面上には、その先端部を被挟止物に当接させるための当接突部が形成されていることを特徴とする係合留め具。
【請求項４】
請求項１から３までの何れかに記載した係合留め具であって、前記押え片が前記収容部方向に窄んだ形状に形成されていることを特徴とする係合留め具。
【発明の詳細な説明】
【技術分野】
【０００１】
本発明は、細長状の係止体と収容体とからなり、該係止体と該収容体とで被挟止物を挟止する係合留め具に関する。
【背景技術】
【０００２】
従来、上記のような係合留め具は、被挟止物である各種の袋体の出入口を封止し、かつ、その開閉を自在に行うことができる留め具として提供されてきた。また、上記のような係合留め具は、被挟止物である各種のシート体を各種の棒状部材に着脱自在に取り付けるとともに、その大きさを適宜調節することができる留め具として提供されてきた。
【０００３】
即ち、上記のような係合留め具として、次のようなものが従来提案されている。まず、溝材と、軸棒とからなる袋類封閉杆であって、該溝材は、弾力を有する硬質合成樹脂で製造し、筒体の一部分を軸方向にわたって欠除することにより、縦方向に狭窄部と拡開腔とを溝状に設けるとともに、該拡開腔の底部外壁を平面部とし、該軸棒は、弾力のある合成樹脂で製造し、該狭窄部よりも少し大きな外径を有し、その細板の片面に突畔を垂起して断面Ｔ形とした桁材の該突畔の稜部を軸方向に固着した保持杆の軸棒の部分を袋地とともに該狭窄部を拡開して該拡開腔内に挿入する構造からなる袋類封閉杆（以下の特許文献１を参照）が提案されている。同様に、管状構造エレメントを備えるパイプクリップ型留め具であって、該管状構造エレメントは、Ｃ形であって、柔軟性を有しており、僅かに小さな直径の円状断面を備えた棒や管を滑り込ませることができ、その内側にシート状の緩衝材が糊付けされているパイプクリップ型留め具（以下の特許文献２を参照）も提案されている。
【０００４】
また、前記被挟止体が袋体である場合に、その出入口をより強固に密封するために、該袋体の外部側面に棒体を接合固定し、該棒体を取り囲むようにパックの一部を折り畳んだ後に、その外面に管体を、該管体の切欠部にパックを通すようにして嵌め付けてパックが密閉されるようにするパック密閉方法において、該棒体の断面形状を三角形にしたり四角形にしたり、あるいは該管体の内部断面形状を円形にしたり四角形にしたりするパック密閉方法が提案されている（以下の特許文献３を参照）。
【０００５】
更に、前記係止体が前記収容体の内部から不意に抜け落ちてしまうことを防止するために、棒状の押え杆と、該押え杆が嵌入される凹溝が長手方向全域に渡って形成されている断面略Ｕ字状の受け杆とからなる袋用封止具において、該押え杆は、相互に対称な円弧状部を備えるとともに長径と短径とを具備する断面形状を有し、該凹溝の対向側壁間の距離は、該押え杆の該円弧状部を袋体を介して前記対向側壁に内接させる寸法に設定され、該凹溝内の開放端部には該押え杆を抜止め状態に押えるための突出片が該凹溝の長手方向に沿って内向きに突出形成され、該凹溝の幅方向における該突出片間の距離は、該押え杆の長径よりも小さく且短径側の最大幅よりも大きく設定したことを特徴とする袋用封止具が提案されている（以下の特許文献４を参照）。
【０００６】
上記のような係合留め具であれば、公知の各種の洗濯挟みのように、被挟止物をその端部から挟み込む構造ではないため、被挟止物において平面的な箇所であれば、いかなる箇所であっても自在にこれを挟止することができる。また、該係合留め具を複数用いることによって、いかなる大きさを有する被挟止物に対しても使用することができる。更に、該係合留め具には公知の各種の洗濯挟みにおける操作部のように外方に突出するような箇所がないため、これを用いて被挟止物を挟止する際も、該被挟止物の美観を損ねることがない。
【先行技術文献】
【特許文献】
【０００７】
【特許文献１】実公昭３５−１１８７６号公報
【特許文献２】米国特許第６１４８４８８号明細書
【特許文献３】特表２０１６−５０６２９３号公報
【特許文献４】特開２０００−１６８８００号公報
【発明の概要】
【発明が解決しようとする課題】
【０００８】
上記のような係合留め具は、広い用途を有しており、前述のように様々な被挟止物に対して使用することができる。そうすると、様々な厚さを有する物が被挟止物になり得るところ、厚手の被挟止物もあれば薄手の被挟止物もあり得るのである。
【０００９】
しかしながら、上記の従来技術に係る係合留め具は、前記係止体側の挟止面と前記収容体側の挟止面との間隔は常に一定であって、被挟止物の厚さに応じて該係止体側の挟止面と該収容体側の挟止面との間隔を調節することができないという問題があった（上記の特許文献１乃至４を参照）。
【００１０】
そうすると、被挟止物が厚手の部材である場合には、該収容体の収容部内に該被挟止物を挿し入れると、該収容部内が該被挟止物によって充満してしまい、該係止体を該収容部に収容することができなくなってしまうのである。反対に、被挟止物が薄手の部材である場合には、該収容体の収容部に該係止体を収容しても、該係止体と該収容体との間に間隔が開いてしまい、該収容体と該係止体とで該被挟止物を十分に挟止することができなくなってしまうのである。
【００１１】
そこで、本発明が解決しようとする第１の課題は、細長状の係止体と収容体とからなり、該係止体と該収容体とで被挟止物を挟止する係合留め具に関し、該被挟止物の厚さに合わせて該係止体側の挟止面と該収容体側の挟止面との間隔を適宜調節することができる係合留め具を提供することにある。
【００１２】
また、上記のような係合留め具は、広い用途を有しており、前述のように様々な被挟止物に対して使用することができるため、様々な部材から形成された複数の層を有する物やその内部に空気などの各種の気体を充満させた空間を設けた物といった特殊な構造を有する物が被挟止物になり得る。特にこのような特殊な構造を有する被挟止物を使用する際は、なるべくその厚さが均一になるようして使用するのが好ましい場合もある。
【００１３】
しかしながら、上記の従来技術に係る係合留め具は、前記係止体と前記収容体とが広範囲に亘って被挟止物に接してこれを挟止するため、被挟止物の厚さが広範囲に亘って変更されてしまうという問題があった（上記の特許文献１乃至４を参照）。
【００１４】
そうすると、被挟止物において前記係止体と前記収容体とによって挟止されている範囲は、前記係止体と前記収容体とによって圧迫されることによってその厚さが薄くなるが、被挟止物において前記係止体と前記収容体とによって挟止されていない範囲はその分だけ盛り上がってしまい、その厚さが厚くなってしまうのである。
【００１５】
そこで、本発明が解決しようとする第２の課題は、細長状の係止体と収容体とからなり、該係止体と該収容体とで被挟止物を挟止する係合留め具に関し、該係止体と該収容体とが被挟止物に接する範囲を可及的に減少させることによって、該被挟止物の厚さが変更される範囲を可及的に減少させることができる係合留め具を提供することにある。
【課題を解決するための手段】
【００１６】
本発明は、上記の各課題を解決するために提案されたものであり、以下の構成を有するものである。以下では、本発明の構成を理解することを補助するために、本願に添付した図面に表示した番号及び符号をあわせて記載する。
【００１７】
請求項１に係る係合留め具（１）は、係止体（２）と、収容体（３）とからなり、係止体（２）と収容体（３）とで被挟止物（Ａ）を挟止する係合留め具である。係止体（２）は、細長状の部材であって、挟止面（２ａ）と、間隔調整部（２ｂ）とを有する。係止体（２）側の挟止面（２ａ）と収容体（３）側の挟止面（３ａ）とは、係止体（２）を収容体（３）の内部に収容した際に対向する両挟止面との間で被挟止物（Ａ）を挟止する部位である。間隔調整部（２ｂ）は、係止体（２）を収容体（３）の内部に収容した際における係止体（２）と収容体（３）との間隔を調節するための部位であって、係止体（２）の上縁部の長手方向に沿って設けられており、係止体（２）の長手方向に沿って連続してその高さが異なる複数の段部である。収容体（３）は、細長状の部材であって、弾力性のある部材で形成されており、挟止面（３ａ）と、収容部（３ｂ）と、押え片（３ｃ）とが設けられている。収容部（３ｂ）は、係止体（２）を収容するための空間であって、収容体（３）の長手方向に沿って溝状に設けられている。押え片（３ｃ）は、間隔調整部（２ａ）に係合して係止体（２）を収容部（３ｂ）内に押えておくための部位であって、収容部（３ｂ）方向に延設されている。
【００１８】
請求項２に記載した係合留め具（１）は、請求項１に記載した係合留め具（１）であって、係止体（２）側の挟止面（２ａ）が側面視円弧状に形成されており、収容体（３）側の挟止面（３ａ）が側面視Ｖ字状に形成されている。
【００１９】
請求項３に係る係合留め具（１）は、請求項１又は２に記載した係合留め具（１）であって、係止体（２）側の挟止面（２ａ）上には、その先端部を被挟止物（Ａ）に当接させるための当接突部（２ｃ）が形成されている。
【００２０】
請求項４に係る係合留め具（１）は、請求項１から３までの何れかに記載した係合留め具（１）であって、押え片（３ｃ）が収容部（３ｂ）方向に窄んだ形状に形成されている。
【発明の効果】
【００２１】
本発明に係る係合留め具（１）は、上記の通りの構成であるから、以下のような効果を奏することができる。
【００２２】
まず、請求項１に記載した係合留め具（１）は、間隔調整部（２ｂ）を構成するその高さが異なる複数の段部の内の所望の段部に押え片（３ｃ）を係合させることによって、係止体（２）側の挟止面（２ａ）と収容体（３）側の挟止面（３ａ）との間隔を適宜調節することができる。
【００２３】
即ち、被挟止物（Ａ）が厚手の部材である場合には、高い位置にある段部に押え片（３ｃ）を係合させることによって、係止体（２）側の挟止面（２ａ）と収容体（３）側の挟止面（３ａ）との間隔を広くすることができ、その結果被挟止物（Ａ）も係止体（２）も収容部（３ｂ）内に収容することができる。反対に、被挟止物（Ａ）が薄手の部材である場合には、低い位置にある段部に押え片（３ｃ）を係合させることによって、係止体（２）側の挟止面（２ａ）と収容体（３）側の挟止面（３ａ）との間隔を狭くすることができ、収容部（３ｂ）内に係止体（２）を収容した際に、係止体（２）側の挟止面（２ａ）と収容体（３）側の挟止面（３ａ）との間に間隔が開いてしまうことなく、係止体（２）側の挟止面（２ａ）と収容体（３）側の挟止面（３ａ）とで被挟持物（Ａ）を十分に挟止することができる。
【００２４】
従って、請求項１に記載した係合留め具（１）は、細長状の係止体と収容体とからなり、該係止体と該収容体とで被挟止物を挟止する係合留め具に関し、該被挟持物の厚さに合わせて該係止体側の挟止面と該収容体側の挟止面との間隔を適宜調節することができる係合留め具を提供するという本発明の第１の課題を解決することができる。
【００２５】
次に、請求項２に記載した係合留め具（１）は、係止体（２）側の挟止面（２ａ）が側面視円弧状に形成されており、収容体（３）側の挟止面（３ａ）が側面視Ｖ字状に形成されているから、両挟止面はそれらが近接する箇所においてのみ被挟止物（Ａ）に対して接する態様になっている。
【００２６】
また、請求項３に記載した係合留め具（１）は、係止体（２）側の挟止面（２ａ）上に当接突部（２ｃ）が形成されているため、当接突部（２ｃ）の先端部と収容体（３）側の挟止面（３ａ）とが近接する箇所においてのみ被挟止物（Ａ）に対して接する態様になっている。そうすると、係止体（２）側の当接突部（２ｃ）を除く挟止面（２ａ）と収容体（３）側の挟止面（３ａ）との間に空隙が生じる。その結果、被挟止物（Ａ）が当接突部（２ｃ）の先端部と収容体（３）側の挟止面（３ａ）とによって圧迫されることで盛り上がった部分を上記の空隙に回収することができる。また、当接突部（２ｃ）を設けることにより、係止体（２）側の挟止面（２ａ）と収容体（３）側の挟止面（３ａ）とが全面的に適合するように係合留め具（１）を製作する必要はなく、当接突部（２ｃ）と収容体（３）側の挟止面（３ａ）とが適合するように係合留め具（１）を製作すれば足りるため、係合留め具（１）を製作する費用や労力を節約することができる。
【００２７】
そして、請求項４に係る係合留め具（１）は、請求項１から３までの何れかに記載した係合留め具（１）であって、押え片（３ｃ）が収容部（３ｂ）方向に窄んだ形状に形成されているため、間隔調整部（２ｂ）と押え片（３ｃ）の先端部とが近接する箇所においてのみ被挟止物（Ａ）に対して接する態様になっている。
【００２８】
従って、請求項２から４までに記載した係合留め具（１）は、細長状の係止体と収容体とからなり、該収容体と該収容体とで被挟止物を挟止する係合留め具に関し、該係止体側の挟止面と該収容体側の挟止面とが被挟止物に接する範囲を可及的に減少させることによって、該被挟止物の厚さが変更される範囲を可及的に減少させることができる係合留め具を提供するという本発明の第２の課題を解決することができる。
【００２９】
もちろん、本発明に係る係合留め具であれば、被挟止物において平面的な箇所であれば、いかなる箇所であっても自在にこれを挟止することができる。また、該係合留め具を複数用いることによって、いかなる大きさを有する被挟止物に対しても使用することができる。更に、該係合留め具を構成する主要な部材である係止体と収容体とが、いずれも細長状の部材によって形成されているため、これを用いて被挟止物を挟止する際も、該被挟止物の美観を損ねることがない。
【図面の簡単な説明】
【００３０】
【図１】本発明の一実施形態に係る係合留め具を使用する状態を示した平面図である。
【図２】本発明の一実施形態に係る係合留め具を使用する状態を示した側方断面図である。
【図３】本発明の別の実施形態に係る係合留め具を使用する状態を示した平面図である。
【図４】本発明の一実施形態に係る係合留め具を袋体に使用する状態を示した平面図である。
【図５】本発明の一実施形態に係る係合留め具をシート体に使用する状態を示した側面図である。
【図６】本発明の一実施形態に係る係合留め具を構成する係止体の平面図である。
【図７】本発明の一実施形態に係る係合留め具を構成する係止体の正面図である。
【図８】本発明の一実施形態に係る係合留め具を構成する係止体の側面図である。
【図９】図７のＡ−Ａ線切断部断面図である。
【図１０】図７のＢ−Ｂ線切断部断面図である。
【図１１】図７のＣ−Ｃ線切断部断面図である。
【図１２】本発明の別の実施形態に係る係合留め具を構成する係止体の平面図である。
【図１３】本発明の一実施形態に係る係合留め具を構成する収容体の平面図である。
【図１４】本発明の一実施形態に係る係合留め具を構成する収容体の側面図である。
【図１５】本発明の別の実施形態に係る係合留め具を構成する収容体の平面図である。
【発明を実施するための形態】
【００３１】
まず、本発明の一実施形態に係る係合留め具（１）の構造について添付図面に基づいて以下に説明する。
【００３２】
係合留め具（１）は、図１乃至５に図示するように、係止体（２）と、収容体（３）とからなり、係止体（２）と収容体（３）とで被挟止物（Ａ）を挟止する係合留め具である。
【００３３】
係止体（２）は、図６乃至１２に図示するように、細長状の部材であって、挟止面（２ａ）と、間隔調整部（２ｂ）とを有する。係止体（２）は、その上面に突条の盛り上がり部を形成して、使用者が係合留め具（１）を使用する際の持ち手（２ｄ）とするのが好適である。
【００３４】
係止体（２）側の挟止面（２ａ）は、図１及び２に図示するように、係止体（２）を収容体（３）の内部に収容した際に、これに対向する収容体（３）側の挟止面（３ａ）との間で被挟止物（Ａ）を挟止する部位である。挟止面（２ａ）は、側面視円弧状に形成されており、係止体（２）の下部を略半円柱状に形成することによって設けられている。
【００３５】
挟止面（２ａ）上には、図６乃至１２に図示するように、その先端部を被挟止物（Ａ）に当接させるための当接突部（２ｃ）を形成するのが好適である。具体的には、挟止面（２ａ）上に半円状の突条を形成することによって、当接突部（２ｃ）にすることができる。このような当接突部（２ｃ）を形成すると、当接突部（２ｃ）の突端部と収容体（３）側の挟止面（３ａ）とが近接する箇所においてのみ被挟止物（Ａ）に対して接する態様にすることができる。そうすると、係止体（２）と収容体（３）とが被挟止物（Ａ）に接する範囲を可及的に減少させることができるため、被挟止物（Ａ）の厚さが変更される範囲を可及的に減少させることができるのである。
【００３６】
また、当接突部（２ｃ） を形成することによって、係止体（２）側の当接突部（２ｃ）を除く挟止面（２ａ）と収容体（３）側の挟止面（３ａ）との間に空隙が生じる。よって、被挟止物（Ａ）が当接突部（２ｃ）の先端部と収容体（３）側の挟止面（３ａ）とによって圧迫されることによって盛り上がった部分を上記の空隙に回収することができる。そして、当接突部（２ｃ）を設けることにより、係止体（２）側の挟止面（２ａ）と収容体（３）側の挟止面（３ａ）とが全面的に適合するように係合留め具（１）を製作する必要はなく、当接突部（２ｃ）と収容体（３）側の挟止面（３ａ）とが適合するように係合留め具（１）を製作すれば足りるため、係合留め具（１）を製作する費用や労力を節約することもできる。
【００３７】
間隔調整部（２ｂ）は、図６及び７に図示するように、係止体（２）を収容体（３）の内部に収容した際における係止体（２）と収容体（３）との間隔を調節するための部位であって、係止体（２）の上縁部の長手方向に沿って設けられており、係止体（２）の長手方向に沿って連続してその高さが異なる複数の段部である。
【００３８】
即ち、間隔調整部（２ｂ）は、係止体（２）の左側から右側へと、その高さが最も低い位置にある第一の段部（２ｂ１）、その高さが第一の段部（２ｂ１）の高さと第三の段部（２ｂ３）の高さとの中間の位置にある第二の段部（２ｂ２）、その高さが最も高い位置にある第三の段部（２ｂ３）が係止体（２）の長手方向に沿って連続して設けられている。もっとも、段部の個数やその順序、そしてその高さの位置は、特にこのような態様に限定されない。尚、それぞれの段部の間には盛り上がり部を設けておくと、押え片（３ｃ）が下方の段部に滑落するのを防止することができ、好適である。
【００３９】
間隔調整部（２ｂ）は、特にその配置する場所や個数は限定されないが、持ち手（２ｄ）を挟んで両側に配置すると安定的に被挟止物（Ａ）を挟止することができる。また、間隔調整部（２ｂ）は、持ち手（２ｄ）を挟んで両側に配置する場合、持ち手（２ｄ）を挟んで相互に対向する位置に配置しても良いが、図３及び図１２に図示するように、互い違いになるようにして相互に対向しない位置に配置しても良い。
【００４０】
係合留め具（１）は、上記のような間隔調整部（２ｂ）を備えていることによって、使用者は、被挟持物（Ａ）の厚さに合わせて、第一の段部（２ｂ１）乃至第三の段部（２ｂ３）の内の所望の段部に押え片（３ｃ）を係合させることによって、係止体（２）側の挟止面（２ａ）と収容体（３）側の挟止面（３ａ）との間隔を適宜調節することができる。
【００４１】
収容体（３）は、図１３乃至１５に図示するように、細長状の部材であって、各種の公知の合成樹脂材料といった弾力性のある部材で形成されており、挟止面（３ａ）と、収容部（３ｂ）と、押え片（３ｃ）とが設けられている。
【００４２】
収容体（３）側の挟止面（３ａ）は、図１及び２に図示するように、係止体（２）を収容体（３）の内部に収容した際に、これに対向する係止体（２）側の挟止面（２ａ）との間で被挟止物（Ａ）を挟止する部位である。前記のように係止体（２）側の挟止面（２ａ）を側面視円弧状に形成した場合には、収容体（３）側の挟止面（３ａ）を側面視Ｖ字状に形成するのが好適である。即ち、係止体（２）側の係止面（２ａ）と収容体（３）側の係止面（３ａ）とが近接する箇所においてのみ被挟止物（Ａ）に対して接する態様になっているから、係止体（２）と収容体（３）とが被挟止物（Ａ）に接する範囲を可及的に減少させることができるため、被挟止物（Ａ）の厚さが変更される範囲を可及的に減少させることができるのである。
【００４３】
尚、図２及び１４に図示するように、収容体（３）側の挟止面（３ａ）を側面視Ｖ字状に形成した際は、これに対応する収容体（３）の外面も側面視Ｖ字状に形成すると、収容体（３）を合成樹脂材料によって形成する際に、挟止面（３ａ）と外面との厚みを一定にすることができ、好適である。
【００４４】
収容部（３ｂ）は、図１３乃至１５に図示するように、係止体（２）を収容するための空間であって、収容体（３）の長手方向に沿って溝状に設けられている。
【００４５】
押え片（３ｃ）は、図１３乃至１５に図示するように、間隔調整部（２ａ）に係合して係止体（２）を収容部（３ｂ）内に押えておくための部位であって、収容体（３）の上縁部から突き出して収容部（３ｂ）方向に延設されている。
【００４６】
押え片（３ｃ）は、図１３乃至１５に図示するように、例えばその先端部を略球状に形成する等して、収容部（３ｂ）方向に窄んだ形状に形成するのが好適である。押え片（３ｃ）をこのような形状に形成すると、間隔調整部（２ｂ）と押え片（３ｃ）の先端部とが近接する箇所においてのみ被挟止物（Ａ）に対して接する態様になっているため、係止体（２）と収容体（３）とが被挟止物（Ａ）に接する範囲を可及的に減少させることができ、被挟止物（Ａ）の厚さが変更される範囲を可及的に減少させることができるのである。
【００４７】
上記のように、持ち手（２ｄ）を挟んで相互に対向する位置に間隔調整部（２ｂ）を配置した場合には、押え片（３ｃ）もそれに合わせて相互に対向する位置に配置する。一方、図３及び図１５に図示するように、間隔調整部（２ｂ）を互い違いになるようにして相互に対向しない位置に配置した場合には、押え片（３ｃ）もそれに合わせて互い違いになるようにして相互に対向しない位置に配置する。
【００４８】
尚、収容体（３）を合成樹脂材料によって一体的に形成する際は、押え片（３ｃ）を形成する際に、収容体（３）の押え片（３ｃ）の近傍に逃げ孔（３ｄ）を設けるのが好適である。
【００４９】
被挟止物（Ａ）は、間隔調整部（２ｂ）と押え片（３ｃ）とによって挟止されることによって、その形状が歪むことになる。間隔調整部（２ｂ）と押え片（３ｃ）とを相互に対向する位置に設けると、被挟止物（Ａ）が歪む箇所が集中してしまうことになり、特に被挟止物（Ａ）が厚手のものである場合には、その歪みが顕著になる。そこで、間隔調整部（２ｂ）と押え片（３ｃ）とを互い違いになるようにして相互に対向しない位置に配置することによって、被挟止物（Ａ）が歪む箇所を分散することができるのである。
【００５０】
もちろん、係合留め具（１）は、被挟止物（Ａ）において平面的な箇所であれば、いかなる箇所であっても自在にこれを挟止することができる。また、係合留め具（１）を複数用いることによって、いかなる大きさを有する被挟止物（１）に対しても使用することができる。更に、係合留め具（１）を構成する主要な部材である係止体（２）と収容体（３）とが、いずれも細長状の部材によって形成されているため、これを用いて被挟止物（Ａ）を挟止する際も、被挟止物（Ａ）の美観を損ねることがない。
【００５１】
以上が、本発明の一実施形態に係る係合留め具（１）の構造についての説明である。次に、本発明の一実施形態に係る係合留め具（１）の使用態様について以下に説明する。尚、係合留め具（１）は、被挟止物として種々の袋体やシート体に対して用いることができるが、該袋体としては、例えば、野菜や花等の各種の栽培物を栽培する際に用いる培養土を構成する肥料、石灰、腐葉土等の各種の培養土材料を収納するための袋体が考えられる。また、該シート体としては、該栽培物及び該栽培物を植えるための植木鉢やプランター等の各種の農園芸用容器を覆って太陽熱や害虫及び害獣等から該栽培物を保護するためのシート体が考えられる。
【００５２】
まず、被挟止物（Ａ）が上記のような各種の培養土材料（Ｂ）を収納するための袋体である場合における本発明の一実施形態に係る係合留め具（１）の使用態様について説明する。
【００５３】
被挟止物（Ａ）の内部から所望の量の培養土材料（Ｂ）を取り出した後、なおも被挟止物（Ａ）の内部に培養土材料（Ｂ）が残存している場合、使用者は、被挟止物（Ａ）における出入口の近傍を収容部（３ｂ）内へと挿し入れた後、押え片（３ｃ）の相互の間隔をやや拡げるようにしながら収容部（３ｂ）内へと係止体（２）を収容する。
【００５４】
このとき、使用者は、被挟止物（Ａ）が通常の厚さの部材である場合には、第二の段部（２ｂ２）に押え片（３ｃ）を係合させればよいが、これが薄手の部材である場合には、第一の段部（２ｂ１）に押え片（３ｃ）を係合させ、反対に、これが厚手の部材である場合には、第三の段部（２ｂ３）に押え片（３ｃ）を係合させることによって、係止体（２）側の挟止面（２ａ）と収容体（３）側の挟止面（３ａ）との間隔を適宜調節することができる。
【００５５】
そうすると、係合留め具（１）は、収容体（３）内において係止体（２）側の挟止面（２ａ）とこれに対向する収容体（３）側の挟止面（３ａ）とで被挟止物（Ａ）を挟止して、被挟止物（Ａ）の出入口を閉鎖し、被挟止物（Ａ）の内部に収納した培養土材料（Ｂ）が漏れ出すことを防止しながら、これを保管することができる。
【００５６】
また、使用者は、被挟止物（Ａ）の内部に収納した培養土材料（Ｂ）を再度取り出す際は、押え片（３ｃ）の相互の間隔をやや拡げるようにしながら収容部（３ｂ）内から係止体（２）を取り出した後、被挟止物（Ａ）を収容部（３ｂ）内から取り出す。そうすると、被挟止物（Ａ）の出入口を開放して、被挟止物（Ａ）の内部に収納した培養土材料（Ｂ）を再度取り出すことができる。
【００５７】
次に、被挟止物（Ａ）が上記のような各種の農園芸用容器（Ｃ）を覆って栽培物（Ｄ）を保護するためのシート体である場合における本発明の一実施形態に係る係合留め具（１）の使用態様について説明する。尚、シート体としては、公知の各種の断熱シートやその内部に各種の期待を充満させた空間を設けたシート等を用いることができる。
【００５８】
農園芸用容器（Ｃ）に被挟止物（Ａ）を被せ、農園芸用容器（Ｃ）の大きさに合わせて、その角部に沿って被挟止物（Ａ）の角部を折り畳む。そして、使用者は、被挟止物（Ａ）における折り畳んだ箇所を収容部（３ｂ）内へと挿し入れた後、押え片（３ｃ）の相互の間隔をやや拡げるようにしながら収容部（３ｂ）内へと係止体（２）を収容する。このとき、使用者は、係止体（２）側の挟止面（２ａ）と収容体（３）側の挟止面（３ａ）との間隔を適宜調節することができるのは、上記の通りである。
【００５９】
そうすると、係合留め具（１）は、収容体（３）内において係止体（２）側の挟止面（２ａ）とこれに対向する収容体（３）側の挟止面（３ａ）とで被挟止物（Ａ）を挟止して、被挟止物（Ａ）の折り畳んだ箇所を係止し、所望の大きさにこれを調節しながら、農園芸用容器（Ｃ）を覆って栽培物（Ｄ）を保護することができる。
【００６０】
また、使用者は、農園芸用容器（Ｃ）から被挟止物（Ａ）を取り外す際は、押え片（３ｃ）の相互の間隔をやや拡げるようにしながら収容部（３ｂ）内から係止体（２）を取り出した後、被挟止物（Ａ）を収容部（３ｂ）内から取り出す。そうすると、農園芸用容器（Ｃ）から被挟止物（Ａ）を取り外し、被挟止物（Ａ）を平面状に復帰させることができる。
【符号の説明】
【００６１】
１  係合留め具
２  係止体
２ａ  挟止面
２ｂ  間隔調整部
２ｂ１  第一の段部
２ｂ２  第二の段部
２ｂ３  第三の段部
２ｃ  当接突部
２ｄ  持ち手
３  収容体
３ａ  挟止面
３ｂ  収容部
３ｃ  押え片
３ｄ  逃げ孔
Ａ  被挟止物
Ｂ  培養土材料
Ｃ  農園芸用容器
Ｄ  栽培物
【図１】
2018086068.tif 000003
【図２】
2018086068.tif 000004
【図３】
2018086068.tif 000005
【図４】
2018086068.tif 000006
【図５】
2018086068.tif 000007
【図６】
2018086068.tif 000008
【図７】
2018086068.tif 000009
【図８】
2018086068.tif 000010
【図９】
2018086068.tif 000011
【図１０】
2018086068.tif 000012
【図１１】
2018086068.tif 000013
【図１２】
2018086068.tif 000014
【図１３】
2018086068.tif 000015
【図１４】
2018086068.tif 000016
【図１５】
2018086068.tif 000017